(57)【要約】【課題】単位ユニットの組合せによって種々の床面積及び平面形状の建物を建築でき、かつ比較的自由な方向に増築可能で、木造の建築物とすることも可能な建築物を得る。【解決手段】建築物の単位ユニットは、平面正方形のものと、当該正方形の一辺を長辺とし、短辺をその半分長さとした平面矩形のものとの２種類である。この２種類の建物ユニットの屋根は、片流れ屋根であり、その庇側を除く三方の側面上部には、等しい高さで屋根囲いが設けられている。この屋根囲いを設けた側面相互を密着させて複数の建物ユニットを連結する。屋根囲いが各建物ユニットの三方の側面に設けられるので、そのいずれの方向にも連結ないし増築が可能である。更に上述した２種類の建物ユニットを使用するので、床面積や建物の平面形状の自由度が大きく、増改築の自由度も大きい。【選択図】      図７
2004225464.tif 000002
【特許請求の範囲】
【請求項１】
片流れ屋根（５）の庇（７）側を除く３方の側面上部に等しい高さの屋根囲い（９）を備えた平面正方形の第１建物ユニット（１ａ）及び／又は上記屋根囲い（９）を備えた平面矩形の第２建物ユニット（１ｂ）を備え、前記第２建物ユニット（１ｂ）は単位幅の短辺側側面とその２倍幅の長辺側側面とを備え、前記第１建物ユニット（１ａ）は前記２倍幅の四側面を備え、当該建物ユニット（１ａ，１ｂ）相互は、前記屋根囲い（９）を備えた側面相互を密着させて連結可能である、ユニット建築物。
【請求項２】
片流れ屋根（５）の庇（７）側を除く３方の側面上部に等しい高さの屋根囲い（９）を備えた平面正方形の第１建物又は前記屋根（５）及び屋根囲い（９）を備えかつ前記第１建物の側面幅と等しい長辺側側面及びその半分幅の短辺側側面を備えた平面矩形の第２建物の側面の壁材（３）を除去ないし交換し、当該側面に、前記第１又は第２建物の前記屋根囲い（９）を備えかつ側面幅の等しい側面を密着連結する、建築物の増築方法。
【請求項３】
片流れ屋根（５）の庇（７）側を除く３方の側面上部に等しい高さの屋根囲い（９）を備えた平面正方形の第１建物又は前記屋根（５）及び屋根囲い（９）を備えた平面矩形の第２建物を建築するための、選択可能な側面の壁材（３）を含む一組の加工済建築材料であって、前記矩形は、前記正方形の辺と等しい長さの長辺及びその半分長さの短辺を備え、前記屋根囲い（９）を備えた辺長さの等しい側面相互を密着させて前記第１建物相互、第２建物相互及び第１と第２建物相互が連結可能である、一組の加工済建築材料。
【発明の詳細な説明】
【０００１】
【発明が属する技術分野】
この発明は、それぞれが単独で独立した建物である２種類の建物ユニットからなる建築物の構造に関し、複数の上記建物ユニットの側面相互を連設して配置することにより、種々の床面積及び平面形状の建物を構築でき、かつ同様な方法によって容易に増改築が可能な比較的小規模の建築物に関するものである。
【０００２】
【従来の技術】
小規模の建築物として自動車の車庫、セカンドハウス、物置、独立の建築物として建てられた個室などがある。これらの小規模建築物は、一般には平屋建てであるが、種々の大きさの床面積のものが要求される。また、これらの建築物は、比較的安価に建築できること、更に好ましくは使用者が自分で建築できることが求められる。車庫や物置、作業小屋などの建物では、種々の床面積のものが予め用意されていたり、所定寸法の骨組み材と壁材の組合せ数によって種々の床面積のものを建築可能にしたものが提供されている。これらの建物は、金属部材や合成樹脂部材が多用されており、木造のものは少ない。
【０００３】
【発明が解決しようとする課題】
従来のユニット建築物、即ち単位寸法の柱や梁の組合せ数を変えることによって、床面積や平面形状の異なる建物を建築できるようにした建築物は、金属部材や合成樹脂部材を使用しているため、建物としての質感が悪く、外観も仮設建築物であるという印象である。また、一旦建築した後の改築や増築もそれほど簡単ではなく、増築可能な方向が限定されるなどの制限があった。
【０００４】
この発明は、単位ユニットの複数個の組合せによって種々の床面積の、また、種々の平面形状の建物を建築することができ、かつ比較的自由な方向に増築が可能な建物を得ることを課題としており、更に木造の建築物として提供することが可能で、かつ使用者が自分で建築することも可能な上記建築物を得ることを課題としている。
【０００５】
【課題を解決するための手段】
本願請求項１の発明は、片流れ屋根５の庇７側を除く３方の側面上部に等しい高さの屋根囲い９を備えた平面正方形の第１建物ユニット１ａの一個若しくは複数個及び／又は上記屋根囲い９を備えた平面矩形の第２建物ユニット１ｂの一個若しくは複数個を備え、前記第２建物ユニット１ｂは単位幅の短辺側側面とその２倍幅の長辺側側面とを備え、前記第１建物ユニット１ａは前記２倍幅の四側面を備え、当該建物ユニット１ａ相互、１ｂ相互及び１ａ、１ｂ相互は、前記屋根囲い９を備えた側面相互を密着させて連結可能であることを特徴とする、ユニット建築物を提供することにより、上記課題を解決している。
【０００６】
上記構造のユニット建築物においては、請求項２に記載のように、片流れ屋根５の庇７側を除く３方の側面上部に等しい高さの屋根囲い９を備えた平面正方形の第１建物又は前記屋根５及び屋根囲い９を備えかつ前記第１建物の側面幅と等しい長辺側側面及びその半分幅の短辺側側面を備えた平面矩形の第２建物の側面の壁材３を除去ないし交換し、当該側面に、前記第１又は第２建物の前記屋根囲い９を備えかつ側面幅の等しい側面を密着連結するという方法により、建築物を増築する。
【０００７】
そして請求項３に記載のように、片流れ屋根５の庇７側を除く３方の側面上部に等しい高さの屋根囲い９を備えた平面正方形の第１建物又は前記屋根５及び屋根囲い９を備えた平面矩形の第２建物を建築するための、選択可能な側面の壁材３を含む一組の加工済建築材料であって、前記矩形は、前記正方形の辺と等しい長さの長辺及びその半分長さの短辺を備え、前記屋根囲い９を備えた辺長さの等しい側面相互を密着させて前記第１建物相互、第２建物相互及び第１と第２建物相互が連結可能である、一組の加工済建築材料を提供することにより、請求項１のユニット建築物を使用しようとする者が自ら建築し、また請求項２の方法で建物の増築を行うことが可能になる。
【０００８】
この発明のユニット建築物のユニットは、平面正方形のものと、当該正方形の一辺を長辺とし、短辺をその半分長さとした平面矩形のものとの２種類である。この２種類の建物ユニットの屋根は、片流れ屋根であり、その庇側を除く三方の側面上部には、等しい高さで屋根囲い９が設けられている。この屋根囲いを設けた側面相互を密着させて複数の建物ユニットを配置すると、当該密着させた側面の屋根囲いの上に共通の傘部材を取付けることによって、接合部の雨仕舞いが容易に可能であると共に、建物ユニット相互の連接部にずれや隙間が生じない。また、この屋根囲いが各建物ユニットの三方の側面に設けられるので、当該三方のいずれの方向にも建物ユニットの連接が可能である。更に上述した寸法関係の正方形と矩形の２種類の建物ユニットを使用するので、床面積や建物の平面形状の自由度が大きく、増改築の自由度も大きい。
【０００９】
建物ユニットの各側面に設ける壁材は、ドア付き、窓付きなどの複数種のものを選択的に着脱可能にし、かつ建物ユニットを連接するときは、当該連接部の少なくとも一方の梁より下の壁面を取り外し、他方の壁面は扉付き又は前面ないし一部を除去したものとする。これにより、連接した２つの建物ユニットの内部空間を連結できる。
【００１０】
【発明の実施の形態】
以下、ツーバイフォー建築にこの発明を採用した実施例を示す図面を参照して、この発明の実施形態を説明する。図１ないし図３は、単位の建物ユニットの構造を示す図で、図１は平面正方形の第１ユニットの縦断面図、図２は同横断面図、図３は平面矩形の第２ユニットの縦断面図である。
【００１１】
これらの建物ユニット１ａ、１ｂは、その平面形状が異なる以外は同一の部材で構成されており、四隅に配置した４本の柱２の外側に、所定寸法の上下幅を備えた壁板３を上下方向に並べて壁を形成している。４本の柱２の下端は、土台板４で連結されている。屋根５の庇７を支える高さの位置に２層の壁板で梁６が形成されている。従って、この梁の部分は壁板が３枚重ねになっている。そして、屋根５の庇７が延びている部分を除く三方の側面は、梁６の上方に壁材３を２枚重ねにして３段積み重ねた屋根囲い９が形成されている。屋根５の一番高くなった辺（棟）が接する屋根囲いには、外壁を形成する壁居たの内側に２層の壁材が積み重ねられて、その内側のもの３ａが屋根５を支えている。屋根５の庇７側は、梁６で支えられている。
【００１２】
梁６より下の側面は、図４ないし６に例示するように、開口なし（図４）、窓付き（図５）、扉付き（図６）などの壁面構築用の材料の組が準備されており、それらの一つを選択して所望の側面に取付けることによって、各建物ユニットの外壁面が形成される。なお、車庫等として使用するときは、車が出入りする側の壁面を取付けないで、開放側面とすることもできる。
【００１３】
平面正方形の建物ユニット１ａは、一辺が例えば３ｍの正方形であり、このときの平面矩形の建物ユニット１ｂは、３ｍ×１．５ｍの矩形となる。この矩形の第２建物ユニット１ｂの屋根５の流れの方向は、長辺方向とすることもできるし、短辺方向とすることもできる。この変更は、屋根板の寸法と屋根の棟を支える壁材３ａを短辺側に付けるか上辺側に付けるかによって容易に変更できる。この第２建物ユニット１ｂも、短辺側の側面幅が異なるのみで、第１建物ユニット１ａと同じ構造である。
【００１４】
建物ユニット相互の連結は、隣接する建物ユニットの幅の等しい側面相互を連接することによって行われる。連接する側面は、一方の建物ユニットの梁６より下の壁材を取り外し、他方も全部取り外すか、扉１０付きの壁面とする。梁６及び屋根囲い９の部分は、外表面相互を密着させた状態で金具と釘で接合し、屋根囲い９の頂部に笠木１１を取付ける。また、壁面の繋ぎ目には一方の壁材を取り外したことによって生じた隙間を塞ぐ繋ぎ材を取付ける。
【００１５】
上記のような構造、即ち、隣接する建物ユニットの屋根囲い９を備えた側面相互を接合することによって、隣接する建物ユニット相互を連結してゆくことができる。図７（ａ）ないし図７（ｅ）は、その連結態様の幾つかの例を示す模式的な斜視図で、１ａは平面正方形の第１建物ユニット、１ｂは平面矩形の第２建物ユニットである。各ユニットに付記した矢印は、屋根の流れ方向を示す。これらの図に示すように、この発明のユニット建築物は、２種類の建物ユニットを組合せて、各種の床面積及び平面形状の建物を建築することができ、必要に応じてユニット単位で増築したり、改築したりすることができる。
【００１６】
例えば、第１建物ユニット１ａの一辺の長さを３ｍとすれば、第１建物ユニット１個で軽自動車の車庫が造れ、奥に第２建物ユニット１ｂを接合することにより中型車の車庫になり、第１建物ユニット１ａを２個接合することにより大型車の車庫になる。更に側面に第２建物ユニット１ｂを接合して物置用のスペースとしたり、第１建物ユニット１ａを接合して車庫に隣接する個室として使用することができる。そして、建物ユニットの連接は、増築という形態で行うことができるので、必要に応じて床面積を大きくしてゆくことができ、また不要になった時は、ユニット単位で除去することもできる。
【００１７】
更にこの発明の構造の建築物をツーバイフォー工法による木造建築物としたときは、落着きのある外観と品質に優れた建築物とすることができ、第１と第２の建物ユニットの基本材料のセット、各種の外観の壁材料のセットなどを予め準備しておくことにより、使用者が比較的簡単に建築することができ、増改築も使用者が自分で行うことができる建築物を提供できる。
【図面の簡単な説明】
【図１】平面正方形の第１ユニットの縦断面図
【図２】平面正方形の第１ユニットの横断面図
【図３】平面矩形の第２ユニットの縦断面図
【図４】建物ユニットの外壁面の一例を示す側面図
【図５】建物ユニットの窓付きの外壁面の一例を示す側面図
【図６】建物ユニットの扉付きの外壁面の一例を示す側面図
【図７】建物ユニットの連結態様の幾つかの例を示す模式的な斜視図
【符号の説明】
１ａ，１ｂ  建築ユニット
５  屋根
７  庇
９  屋根囲い
【図１】
2004225464.tif 000003
【図２】
2004225464.tif 000004
【図３】
2004225464.tif 000005
【図４】
2004225464.tif 000006
【図５】
2004225464.tif 000007
【図６】
2004225464.tif 000008
【図７】
2004225464.tif 000009